(57)【要約】【課題】情報処理装置におけるＧＵＩのデザインの変更に合わせて、当該情報処理装置に接続される他の情報処理装置におけるＧＵＩのデザインを変更可能な情報処理技術を提供する。【解決手段】第１判断部５１は、接続機器とのＧＵＩのデザインの統一が可能であるか否かを判断する。第２判断部５２は、ＴＶ装置５０が変更する対象のＧＵＩのデザインに対応する接続機器用デザインが存在するか否かを判断する。第３判断部５３は、接続機器用デザイン情報を接続機器自身が取得可能であるか否かを判断する。当該判断結果が肯定的である場合、通知部５６は、接続機器が取得すべき接続機器用デザイン情報のデザインＩＤの通知を接続機器に送信する。第３判断部５３の判断結果が否定的である場合、デザイン取得部５４は、接続機器が取得すべき接続機器用デザイン情報を自身が取得する。デザイン送信部５５は、取得された接続機器用デザイン情報を接続機器に送信する。【選択図】        図２
2011053841.tif 000002
【特許請求の範囲】
【請求項１】
他の情報処理装置と接続され、ＧＵＩ（Graphical User Interface）のデザインを変更可能な情報処理装置であって、
前記他の情報処理装置とのＧＵＩのデザインの統一が可能であるか否かを判断する第１判断部と、
前記他の情報処理装置とのＧＵＩのデザインの統一が可能である場合、当該情報処理装置が変更する対象のＧＵＩの第１デザインに対応するデザインであって前記他の情報処理装置に適用可能な第２デザインに変更するための情報を前記他の情報処理装置に送信する第１送信部とを備える
ことを特徴とする情報処理装置。
【請求項２】
前記他の情報処理装置とのＧＵＩのデザインの統一が可能である場合、前記第２デザインが存在するか否かを判断する第２判断部と、
前記第２デザインが存在する場合、前記第２デザインを表すデザイン情報を前記他の情報処理装置自身が取得可能であるか否かを判断する第３判断部とを更に備え、
前記第１送信部は、前記デザイン情報を前記他の情報処理装置自身が取得可能であると判断された場合、前記他の情報処理装置が取得すべき前記デザイン情報を指定する通知を前記他の情報処理装置に送信する
ことを特徴とする請求項１に記載の情報処理装置。
【請求項３】
前記デザイン情報を前記他の情報処理装置自身が取得可能でないと判断された場合、前記デザイン情報を取得するデザイン取得部を更に備え、
前記第１送信部は、前記デザイン情報を前記他の情報処理装置に送信する
ことを特徴とする請求項２に記載の情報処理装置。
【請求項４】
前記デザイン取得部は、前記デザイン情報を、ネットワークを介して取得する及び当該情報処理装置に装着される記憶媒体から取得することのうち一方を行う
ことを特徴とする請求項３に記載の情報処理装置。
【請求項５】
前記第３判断部は、前記他の情報処理装置がネットワークに接続されているか否かを判断する及び前記デザイン情報を記憶する記憶媒体が前記他の情報処理装置に接続されているか否かを判断することのうち少なくとも一方を行う
ことを特徴とする請求項２乃至４のいずれか一項に記載の情報処理装置。
【請求項６】
ＧＵＩ（Graphical User Interface）のデザインを変更可能な他の情報処理装置と接続される情報処理装置であって、
前記他の情報処理装置からの問い合わせに応じて、当該情報処理装置を識別する機器識別情報を前記他の情報処理装置に送信する第１送信部と、
前記他の情報処理装置が変更する対象のＧＵＩのデザインに対応するデザインであって当該情報処理装置で適用するデザインを表すデザイン情報を、当該情報処理装置自身が取得できない場合、当該デザイン情報を前記他の情報処理装置から受信するデザイン受信部と、
前記デザイン情報を当該情報処理装置自身が取得できる場合、当該情報処理装置が取得すべき前記デザイン情報を指定する通知を前記他の情報処理装置から受信する通知受信部と、
指定された前記デザイン情報を取得するデザイン取得部とを備える
ことを特徴とする情報処理装置。
【請求項７】
前記デザイン取得部は、前記デザイン情報を、ネットワークを介して取得する及び当該情報処理装置に装着される記憶媒体から取得することのうち一方を行う
ことを特徴とする請求項６に記載の情報処理装置。
【請求項８】
他の情報処理装置と接続され、ＧＵＩ（Graphical User Interface）のデザインを変更可能な情報処理装置の有するコンピュータを、
前記他の情報処理装置とのＧＵＩのデザインの統一が可能であるか否かを判断する第１判断手段と、
前記他の情報処理装置とのＧＵＩのデザインの統一が可能である場合、当該情報処理装置が変更する対象のＧＵＩの第１デザインに対応するデザインであって前記他の情報処理装置に適用可能な第２デザインに変更するための情報を前記他の情報処理装置に送信する第１送信手段と
して機能させるためのプログラム。
【発明の詳細な説明】
【技術分野】
【０００１】
本発明は、情報処理装置及びプログラムに関する。
【背景技術】
【０００２】
従来より、例えば、様々なコンテンツを再生可能なＴＶ（Television）などの情報処理装置がある（例えば特許文献１〜４参照）。このようなＴＶでコンテンツの再生などの各種指示をユーザが操作入力するためのＧＵＩ（Graphical User Interface）は、一般的に、ＴＶに接続されるＤＶＤ（Digital Versatile Disk）レコーダなどの情報処理装置で提供されるＧＵＩとは異なっている。
【先行技術文献】
【特許文献】
【０００３】
【特許文献１】特開２００７−２８２０４８号公報
【特許文献２】特開平１０−１７８５９７号公報
【特許文献３】特開２００３−２８３９７０号公報
【特許文献４】特開２００５−１２５６９号公報
【発明の概要】
【発明が解決しようとする課題】
【０００４】
近年では、ＴＶで提供されるＧＵＩをユーザが自由に変更可能にすることが考えられている。更に、ＴＶにおけるＧＵＩのデザインの変更に合わせて、ＴＶに接続される情報処理装置のＧＵＩのデザインを自動的に変更し、ユーザの手間なく、これらのＧＵＩのデザインを統一することが望まれていた。
【０００５】
本発明は、上記に鑑みてなされたものであって、情報処理装置におけるＧＵＩのデザインの変更に合わせて、当該情報処理装置に接続される他の情報処理装置におけるＧＵＩのデザインを変更可能な情報処理装置及びプログラムを提供することを目的とする。
【課題を解決するための手段】
【０００６】
上述した課題を解決し、目的を達成するために、本発明は、他の情報処理装置と接続され、ＧＵＩ（Graphical User Interface）のデザインを変更可能な情報処理装置であって、前記他の情報処理装置とのＧＵＩのデザインの統一が可能であるか否かを判断する第１判断部と、前記他の情報処理装置とのＧＵＩのデザインの統一が可能である場合、当該情報処理装置が変更する対象のＧＵＩの第１デザインに対応するデザインであって前記他の情報処理装置に適用可能な第２デザインに変更するための情報を前記他の情報処理装置に送信する第１送信部とを備えることを特徴とする。
【０００７】
また、本発明は、ＧＵＩ（Graphical User Interface）のデザインを変更可能な他の情報処理装置と接続される情報処理装置であって、前記他の情報処理装置からの問い合わせに応じて、当該情報処理装置を識別する機器識別情報を前記他の情報処理装置に送信する第１送信部と、前記他の情報処理装置が変更する対象のＧＵＩのデザインに対応するデザインであって当該情報処理装置で適用するデザインを表すデザイン情報を、当該情報処理装置自身が取得できない場合、当該デザイン情報を前記他の情報処理装置から受信するデザイン受信部と、前記デザイン情報を当該情報処理装置自身が取得できる場合、当該情報処理装置が取得すべき前記デザイン情報を指定する通知を前記他の情報処理装置から受信する通知受信部と、指定された前記デザイン情報を取得するデザイン取得部とを備える
ことを特徴とする。
【０００８】
また、本発明は、他の情報処理装置と接続され、ＧＵＩ（Graphical User Interface）のデザインを変更可能な情報処理装置の有するコンピュータを、前記他の情報処理装置とのＧＵＩのデザインの統一が可能であるか否かを判断する第１判断手段と、前記他の情報処理装置とのＧＵＩのデザインの統一が可能である場合、当該情報処理装置が変更する対象のＧＵＩの第１デザインに対応するデザインであって前記他の情報処理装置に適用可能な第２デザインに変更するための情報を前記他の情報処理装置に送信する第１送信手段と
して機能させるためのプログラムである。
【発明の効果】
【０００９】
本発明によれば、情報処理装置におけるＧＵＩのデザインの変更に合わせて、当該情報処理装置に接続される他の情報処理装置におけるＧＵＩのデザインが変更可能になる。
【図面の簡単な説明】
【００１０】
【図１】図１は、一実施の形態にかかる接続システムの構成を例示する図である。
【図２】図２は、ＴＶ装置５０の機能的構成を例示する図である。
【図３】図３は、ＤＶＤレコーダ６０の機能的構成を例示する図である。
【図４】図４は、ＴＶ装置５０がＧＵＩのデザインを変更する場合に行うＧＵＩ統一処理の手順を示すフローチャートである。
【図５】図５は、ＤＶＤレコーダ６０がＴＶ装置５０のＧＵＩのデザインの変更に合わせて自身のＧＵＩのデザインを変更する処理の手順を示すフローチャートである。
【発明を実施するための形態】
【００１１】
以下に添付図面を参照して、この発明にかかる情報処理装置及びプログラムの一実施の形態を詳細に説明する。
【００１２】
本実施の形態においては、情報処理装置としてＴＶ装置を適用し、当該ＴＶ装置に接続される接続側の情報処理装置としてＤＶＤレコーダを適用する。以降、説明の便宜上、ＴＶ装置に接続されるＤＶＤレコーダなどの情報処理装置を、接続機器ということがある。図１は、本実施の形態にかかる接続システムの構成を例示する図である。本実施の形態にかかる接続システムは、ＴＶ装置５０と、ＤＶＤレコーダ６０とがＨＤＭＩ（High-Definition Multimedia Interface）ケーブルを介して接続され、通信を行なう。また、ＴＶ装置５０と、ＤＶＤレコーダ６０とは、赤外線や電波を介して無線での通信も可能である。ＴＶ装置５０には、メモリカード１１０が着脱自在に装着され得る。また、ＴＶ装置５０には、ハブ７０が接続され、ハブ７０には、ルータ８０が接続され、これらを介してネットワーク９０にＴＶ装置５０は接続され、ネットワーク９０を介してコンテンツサーバ１００と通信可能である。ハブ７０は、データを電送する電送信号の中継を行なう通信機器である。ルータ８０は、ネットワーク間を相互接続する通信機器である。ネットワーク９０とは、例えば、ＬＡＮ（Local Area Network）、イントラネット、イーサネット（登録商標）又はインターネットなどである。ＤＶＤレコーダ６０には、メモリカード１２０が着脱自在に装着され得る。また、ＤＶＤレコーダ６０には、ハブ７０が接続され、ハブ７０には、ルータ８０が接続され、これらを介してネットワーク９０にＤＶＤレコーダ６０は接続され、ネットワーク９０を介してコンテンツサーバ１００と通信可能である。
【００１３】
メモリカード１１０やコンテンツサーバ１００には、ＴＶ装置５０に適用されるＧＵＩのデザインを表すデザイン情報や、接続機器に適用されるＧＵＩのデザイン（接続機器用デザインという）を表すデザイン情報（接続機器用デザイン情報という）が記憶され得る。メモリカード１２０には、接続機器用のデザイン情報が記憶され得る。デザイン情報は、例えば、画面において規定されるウィンドウや画面に配置されるアイコンやボタンなどの画像や、ウィンドウやアイコンやボタンなどの画像の配置を示すレイアウト情報や、操作メニューに関する情報や、ユーザの操作入力に応じた表示の遷移や処理を行うための動作プログラムなどの各情報を含む。また、各デザインには、各々を識別するためのデザインＩＤが付与され、このデザインＩＤをデザイン情報は含む。
【００１４】
次に、ＴＶ装置５０のハードウェア構成について説明する。ここでは、本実施の形態にかかるＧＵＩを統一する処理に関する部分について説明する。本実施の形態のＴＶ装置５０は、装置全体を制御するＣＰＵ（Central Processing Unit）等の制御部と、各種データや各種プログラムを記憶するＲＯＭ（Read Only Memory）やＲＡＭ（Random Access Memory）等の主記憶部と、各種データや各種プログラムを記憶するＨＤＤ（Hard Disk Drive）やＣＤ（Compact Disk）ドライブ装置等の補助記憶部と、情報を表示する表示部と、音声を出力する音声出力部と、外部装置との通信を制御する通信Ｉ／Ｆ（interface）と、これらを接続するバスとを備えている。通信Ｉ／Ｆとしては、例えば、ハブ７０、ルータ８０及びネットワーク９０を介してコンテンツサーバ１００などの他の情報処理装置と通信するためのネットワークＩ／Ｆや、HDMI-CEC（Consumer Electronics Control）の規格に則ってＤＶＤレコーダ６０と通信するためのＨＤＭＩ通信Ｉ／Ｆや、赤外線を介してＤＶＤレコーダ６０と通信するためのIrDAの規格に則った赤外線通信Ｉ／Ｆや、電波を介してＤＶＤレコーダ６０と通信するためのBluetoothの規格に則った無線通信Ｉ／Ｆなどがある。また、ＴＶ装置５０は、メモリカードが装着されるカードスロットと、ユーザの操作入力を受け付ける操作ボタン等の操作入力部とを備える。ＤＶＤレコーダ６０のハードウェア構成は、本実施の形態にかかるＧＵＩを統一する処理に関する部分については、ＴＶ装置５０のハードウェア構成と略同様であるため、その説明を省略する。尚、ＤＶＤレコーダ６０のＲＯＭ又は補助記憶部の少なくとも一方には、ＤＶＤレコーダ６０に付与された機器ＩＤが記憶されている。
【００１５】
このＴＶ装置５０では、表示部に表示させるＧＵＩのデザインを、操作入力部を介したユーザの操作入力により変更可能である。この機能については、既知であるため、ここではその説明を省略する。本実施の形態においては、ＴＶ装置５０で適用される様々なＧＵＩのデザインのうち全部又は一部のデザインに対応するデザインであって接続機器に適用可能な各接続機器デザインが存在するものとする。対応する接続機器デザインが接続機器で提供されることにより、ＴＶ装置５０と当該ＴＶ装置５０に接続される接続機器とでＧＵＩのデザインが統一される。
【００１６】
次に、ＴＶ装置５０のＣＰＵが主記憶部や補助記憶部に記憶された各種プログラムを実行することにより実現される各種機能について説明する。図２は、ＴＶ装置５０の機能的構成を例示する図である。ＴＶ装置５０は、第１判断部５１と、第２判断部５２と、第３判断部５３と、デザイン取得部５４と、デザイン送信部５５と、通知部５６と、統一機器テーブル５７と、デザイン対応テーブル５８とを有する。第１判断部５１と、第２判断部５２と、第３判断部５３と、デザイン取得部５４と、デザイン送信部５５と、通知部５６とは、ＣＰＵのプログラム実行時にＲＡＭなどの主記憶部上に生成されるものである。統一機器テーブル５７と、デザイン対応テーブル５８とは、ＨＤＤなどの補助記憶部に記憶されるものである。
【００１７】
統一機器テーブル５７は、ＴＶ装置５０とＧＵＩのデザインを統一可能な接続機器を識別するための機器ＩＤを記憶している。機器ＩＤは、例えば、製造時に接続機器に付与された製造番号であっても良いし、ＭＡＣアドレスであっても良い。ここでは、統一機器テーブル５７には、ＤＶＤレコーダ６０の機器ＩＤが少なくとも記憶されているものとする。
【００１８】
デザイン対応テーブル５８は、ＴＶ装置５０で適用されるＧＵＩのデザインと対応する接続機器デザインについて、その対応関係を記憶する。対応関係としては、例えば、ＴＶ装置５０で適用されるＧＵＩのデザインのデザインＩＤと、当該デザインに対応する、接続機器で適用可能なＧＵＩのデザインのデザインＩＤとが対応付けられて記憶される。
【００１９】
第１判断部５１は、当該ＴＶ装置５０に接続される接続機器に機器ＩＤを問い合わせ、統一機器テーブル５７を参照して、当該接続機器が、ＧＵＩのデザインを統一可能な接続機器であるか否かを判断する。第２判断部５２は、当該ＴＶ装置５０が変更する対象のＧＵＩのデザインに対応する接続機器用デザインが存在するか否かを、デザイン対応テーブル５８を参照して判断する。第３判断部５３は、当該ＴＶ装置５０に接続される接続機器に対して、接続機器用デザイン情報の取得に関する接続状況を問い合わせ、当該ＴＶ装置５０が変更する対象のＧＵＩのデザインに対応する接続機器用デザインを表すデザイン情報（接続機器用デザイン情報）を当該接続機器自身が取得可能か否かを判断する。
【００２０】
デザイン取得部５４は、当該ＴＶ装置５０に接続される接続機器が、当該ＴＶ装置５０が変更する対象のＧＵＩのデザインに対応する接続機器用デザイン情報を自身で取得可能でないと第３判断部５３が判断した場合、当該接続機器用デザイン情報を取得する。デザイン送信部５５は、デザイン取得部５４が取得した接続機器用デザイン情報を、当該ＴＶ装置５０に接続される接続機器に送信する。
【００２１】
通知部５６は、当該ＴＶ装置５０に接続される接続機器が、当該ＴＶ装置５０が変更する対象のＧＵＩのデザインに対応する接続機器用デザイン情報を自身で取得可能であると第３判断部５３が判断した場合、当該ＴＶ装置５０がＧＵＩのデザインを変更したこと及び当該接続機器用デザイン情報のデザインＩＤの通知及び当該接続機器用デザイン情報の取得の要求を当該接続機器に送信する。この通知により、接続機器が取得すべき接続機器用デザイン情報のデザインＩＤが指定される。
【００２２】
次に、ＤＶＤレコーダ６０のＣＰＵが主記憶部や補助記憶部に記憶された各種プログラムを実行することにより実現される各種機能について説明する。図３は、ＤＶＤレコーダ６０の機能的構成を例示する図である。ＤＶＤレコーダ６０は、機器ＩＤ送信部６１と、検出部６２と、回答送信部６３と、デザイン受信部６４と、通知受信部６５と、デザイン取得部６６とを有する。これらの各部は、ＣＰＵのプログラム実行時にＲＡＭなどの主記憶部上に生成されるものである。
【００２３】
機器ＩＤ送信部６１は、ＴＶ装置５０からの問い合わせに応じて、自身の機器ＩＤを当該ＴＶ装置５０に送信する。検出部６２は、ＴＶ装置５０からの問い合わせに応じて、接続機器用デザイン情報の取得に関する接続状況を検出する。具体的には、検出部６２は、ＤＶＤレコーダ６０がネットワーク９０に接続されているか否か又は当該ＴＶ装置５０が変更する対象のＧＵＩのデザインに対応する接続機器用デザイン情報を記憶したメモリカードがＤＶＤレコーダ６０に接続されているか否かを検出する。回答送信部６３は、検出部６２の検出の結果を示す回答をＴＶ装置５０に送信する。
【００２４】
デザイン受信部６４は、ＤＶＤレコーダ６０がネットワーク９０に接続されていない場合又は当該ＴＶ装置５０が変更する対象のＧＵＩのデザインに対応する接続機器用デザイン情報を記憶したメモリカードがＤＶＤレコーダ６０に接続されていない場合、ＴＶ装置５０から送信された接続機器用デザイン情報を受信する。
【００２５】
通知受信部６５は、ＤＶＤレコーダ６０に接続されるＴＶ装置５０がＧＵＩのデザインを変更したこと及び当該ＴＶ装置５０が変更する対象のＧＵＩのデザインに対応する接続機器用デザイン情報のデザインＩＤの通知及び当該接続機器用デザイン情報の取得の要求をＴＶ装置５０から受信する。デザイン取得部６６は、ＴＶ装置５０からの通知において指定されたデザインＩＤの接続機器用デザイン情報を取得する。例えば、デザイン取得部６６は、ＤＶＤレコーダ６０がネットワーク９０に接続されている場合、当該デザインＩＤの接続機器用デザイン情報をコンテンツサーバ１００から取得する又は当該デザインＩＤの接続機器用デザイン情報を記憶したメモリカードがＤＶＤレコーダ６０に接続されている場合、当該メモリカードから接続機器用デザイン情報を取得する。
【００２６】
次に、本実施の形態にかかるＴＶ装置５０がＧＵＩのデザインを変更する場合に行うＧＵＩ統一処理の手順について図４を用いて説明する。ＴＶ装置５０は、当該ＴＶ装置５０に接続されるＤＶＤレコーダ６０に機器ＩＤを問い合わせるコマンドを送信し、当該コマンドに応じたＤＶＤレコーダ６０から当該機器ＩＤを受信する。そして、ＴＶ装置５０は、当該機器ＩＤが統一機器テーブル５７に記憶されているか否かを判断することにより、当該ＤＶＤレコーダ６０がＧＵＩのデザインの統一が可能な接続機器であるか否かを判断する（ステップＳ１）。当該判断結果が肯定的である場合（ステップＳ１：ＹＥＳ）、ＴＶ装置５０は、デザイン対応テーブル５８を参照して、ＴＶ装置５０が変更する対象のＧＵＩのデザインに対応する接続機器用デザインが存在するか否かを判断する（ステップＳ２）。例えば、ＴＶ装置５０が変更する対象のＧＵＩのデザインのデザインＩＤに対応する接続機器デザインのデザインＩＤがデザイン対応テーブル５８に記憶されているか否かをＴＶ装置５０は判断する。当該判断結果が肯定的である場合（ステップＳ２：ＹＥＳ）、ＴＶ装置５０は、接続機器デザインのデザインＩＤを取得し、当該ＴＶ装置５０に接続されるＤＶＤレコーダ６０に対して、接続機器用デザイン情報の取得に関する接続状況を問い合わせるコマンドを送信し、当該コマンドに応じたＤＶＤレコーダ６０からの回答により、当該接続機器デザインを表すデザイン情報をＤＶＤレコーダ６０自身が取得可能であるか否かを判断する（ステップＳ３）。例えば、ＴＶ装置５０は、ＤＶＤレコーダ６０がネットワーク９０に接続されているか否かを問い合わせるコマンドをＤＶＤレコーダ６０に送信し、当該コマンドに応じたＤＶＤレコーダ６０からその回答を受信する。また、ＴＶ装置５０は、当該デザインＩＤを指定し当該デザインＩＤが付与されたデザインを表すデザイン情報を記憶しているメモリカードがＤＶＤレコーダ６０に接続されているか否かを問い合わせるコマンドをＤＶＤレコーダ６０に送信し、当該コマンドに応じたＤＶＤレコーダ６０からその回答を受信する。尚、コマンドの送信や回答の受信は、ＨＤＭＩケーブルを介して行っても良いし、赤外線や電波を介して無線で行っても良い。
【００２７】
ＤＶＤレコーダ６０からの回答により、ＤＶＤレコーダ６０がネットワーク９０に接続されていると判断される場合及び当該デザインＩＤが付与されたデザインを表すデザイン情報を記憶しているメモリカードがＤＶＤレコーダ６０に接続されていると判断される場合、ＴＶ装置５０は、当該ＴＶ装置５０に接続されるＤＶＤレコーダ６０が、ＴＶ装置５０が変更する対象のＧＵＩのデザインに対応する接続機器用デザイン情報を自身で取得可能であると判断する。この場合（ステップＳ３：ＹＥＳ）、ＴＶ装置５０は、当該ＴＶ装置５０がＧＵＩのデザインを変更したこと及びＴＶ装置５０が変更する対象のＧＵＩのデザインに対応する接続機器デザインのデザインＩＤの通知及び当該デザインＩＤの接続機器用デザイン情報の取得の要求をＤＶＤレコーダ６０に送信する（ステップＳ４）。一方、ＤＶＤレコーダ６０がネットワーク９０に接続されていないと判断される場合及び当該デザインＩＤが付与されたデザインを表すデザイン情報を記憶しているメモリカードがＤＶＤレコーダ６０に接続されていないと判断される場合、ＴＶ装置５０は、当該ＴＶ装置５０に接続されるＤＶＤレコーダ６０が、ＴＶ装置５０が変更する対象のＧＵＩのデザインに対応する接続機器用デザイン情報を自身で取得可能でないと判断する。この場合（ステップＳ３：ＮＯ）、ＴＶ装置５０は、当該接続機器用デザイン情報を取得する処理を行う（ステップＳ５）。具体的には、例えば、ＴＶ装置５０に接続されるメモリカード１１０に当該接続機器用デザイン情報が記憶されている場合、ＴＶ装置５０は、当該メモリカード１１０から当該接続機器用デザイン情報を読み出すことによりこれを取得する。又は、ＴＶ装置５０は、当該接続機器用デザイン情報のデザインＩＤを含み当該接続機器用デザイン情報を要求するメッセージを、ハブ７０、ルータ８０及びネットワーク９０を介してコンテンツサーバ１００に送信し、当該メッセージに応じてコンテンツサーバ１００から送信された接続機器用デザイン情報を受信することによりこれを取得する。そして、ＴＶ装置５０は、ステップＳ５で取得した接続機器用デザイン情報をＤＶＤレコーダ６０に送信する（ステップＳ６）。接続機器用デザイン情報の送信は、ＨＤＭＩケーブルを介して行っても良いし、赤外線や電波を介して無線で行っても良い。尚、ステップＳ１の判断結果が否定的である場合又はステップＳ２の判断結果が否定的である場合、ＴＶ装置５０は、当該ＴＶ装置５０に接続される接続機器とＧＵＩのデザインを統一可能でないとして、処理を終了する。
【００２８】
次に、本実施の形態にかかるＤＶＤレコーダ６０がＴＶ装置５０のＧＵＩのデザインの変更に合わせて自身のＧＵＩのデザインを変更する処理の手順について図５を用いて説明する。ＤＶＤレコーダ６０は、当該ＤＶＤレコーダ６０に接続されるＴＶ装置５０から、機器ＩＤを問い合わせるコマンドを受信すると（ステップＳ２０：ＹＥＳ）、自身に付与されている機器ＩＤをＴＶ装置５０に送信する（ステップＳ２１）。また、ＤＶＤレコーダ６０は、当該ＴＶ装置５０から、接続機器用デザイン情報の取得に関する接続状況を問い合わせるコマンドを受信すると（ステップＳ２２：ＹＥＳ）、当該接続状況を検出して（ステップＳ２３）、その検出の結果を示す回答をＴＶ装置５０に送信する（ステップＳ２４）。具体的には、ＤＶＤレコーダ６０は、ネットワーク９０に接続されているか否かを問い合わせるコマンドをＴＶ装置５０から受信すると、ハブ７０に接続されているか否かを検出し、ハブ７０に接続されている場合には、ネットワーク９０に接続されていることを示す回答を当該ＴＶ装置５０に送信し、ハブ７０に接続されていない場合には、ネットワーク９０に接続されていないことを示す回答を当該ＴＶ装置５０に送信する。また、ＤＶＤレコーダ６０は、デザインＩＤが指定され当該デザインＩＤが付与されたデザインを表すデザイン情報（接続機器用デザイン情報）を記憶しているメモリカードがＤＶＤレコーダ６０に接続されているか否かを問い合わせるコマンドをＴＶ装置５０から受信すると、メモリカード１２０が自身に接続されているか否かを検出し、メモリカード１２０が自身に接続されている場合、メモリカード１２０にアクセスして、指定されたデザインＩＤの接続機器用デザイン情報が記憶されているか否かを判断する。指定されたデザインＩＤの接続機器用デザイン情報がメモリカード１２０に記憶されている場合、ＤＶＤレコーダ６０は、当該接続機器用デザイン情報を記憶しているメモリカードがＤＶＤレコーダ６０に接続されていることを示す回答を当該ＴＶ装置５０に送信する。メモリカード１２０がＤＶＤレコーダ６０に接続されていない場合及び指定されたデザインＩＤの接続機器用デザイン情報がメモリカード１２０に記憶されていない場合、ＤＶＤレコーダ６０は、当該接続機器用デザイン情報を記憶しているメモリカードがＤＶＤレコーダ６０に接続されていないことを示す回答を当該ＴＶ装置５０に送信する。
【００２９】
尚、ＤＶＤレコーダ６０がハブ７０に接続されていない場合又は指定された接続機器用デザイン情報を記憶しているメモリカードがＤＶＤレコーダ６０に接続されていない場合、ＤＶＤレコーダ６０は、ＴＶ装置５０から、当該ＴＶ装置５０が変更する対象のＧＵＩのデザインに対応する接続機器用デザイン情報を受信する（ステップＳ２５：ＹＥＳ）。この場合、ＤＶＤレコーダ６０は、受信した接続機器用デザイン情報をＨＤＤなどの補助記憶部に記憶させた後（ステップＳ２７）、当該接続機器用デザイン情報を用いて、ＧＵＩのデザインを変更する（ステップＳ２９）。また、ＤＶＤレコーダ６０がハブ７０に接続されている場合又は指定された接続機器用デザイン情報を記憶しているメモリカードがＤＶＤレコーダ６０に接続されている場合、ＤＶＤレコーダ６０は、ＴＶ装置５０から、接続機器用デザイン情報を受信するのではなく（ステップＳ２５：ＮＯ）、ＴＶ装置５０がＧＵＩのデザインを変更したこと及び当該ＴＶ装置５０が変更する対象のＧＵＩのデザインに対応する接続機器用デザイン情報のデザインＩＤの通知及び当該接続機器用デザイン情報の取得の要求を受信すると（ステップＳ２６：ＹＥＳ）、当該接続機器用デザイン情報を取得する処理を行う（ステップＳ２８）。例えば、ＤＶＤレコーダ６０がハブ７０に接続されている場合には、ＤＶＤレコーダ６０は、指定されたデザインＩＤを含み当該接続機器用デザイン情報を要求するメッセージを、ハブ７０、ルータ８０及びネットワーク９０を介してコンテンツサーバ１００に送信し、当該メッセージに応じてコンテンツサーバ１００から送信された接続機器用デザイン情報を受信することによりこれを取得する。また、指定されたデザインＩＤの接続機器用デザイン情報を記憶しているメモリカード（メモリカード１２０）がＤＶＤレコーダ６０に接続されている場合、ＤＶＤレコーダ６０は、メモリカード１２０にアクセスして、指定されたデザインＩＤの接続機器用デザイン情報を読み出すことによりこれを取得する。そして、ＤＶＤレコーダ６０は、取得した接続機器用デザイン情報をＨＤＤなどの補助記憶部に記憶させる。その後、ステップＳ２９で、ＤＶＤレコーダ６０は、取得した接続機器用デザイン情報を用いて、ＧＵＩのデザインを変更する。
【００３０】
以上のような構成によれば、ＴＶ装置５０におけるＧＵＩのデザインの変更に合わせて、ＴＶ装置５０に接続されるＤＶＤレコーダ６０のＧＵＩのデザインを自動的に変更し、ユーザの手間なく、これらのＧＵＩのデザインを統一することが可能になる。
【００３１】
[変形例]
なお、本発明は前記実施形態そのままに限定されるものではなく、実施段階ではその要旨を逸脱しない範囲で構成要素を変形して具体化できる。また、前記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。また、以下に例示するような種々の変形が可能である。
【００３２】
上述した実施の形態において、ＴＶ装置５０で実行される各種プログラムを、インターネット等のネットワークに接続されたコンピュータ上に格納し、ネットワーク経由でダウンロードさせることにより提供するように構成しても良い。また当該各種プログラムを、インストール可能な形式又は実行可能な形式のファイルでＣＤ−ＲＯＭ、フレキシブルディスク（ＦＤ）、ＣＤ−Ｒ、ＤＶＤ（Digital Versatile Disk）等のコンピュータで読み取り可能な記録媒体に記録してコンピュータプログラムプロダクトとして提供するように構成しても良い。ＤＶＤレコーダ６０に記憶される各種プログラムについても同様である。
【００３３】
上述の実施の形態においては、デザイン対応テーブル５８に記憶される対応関係は、上述のものに限らない。ＴＶ装置５０で適用されるＧＵＩのデザインのデザインＩＤと、当該デザインに対応する接続機器デザイン情報を記憶している格納場所を表すＵＲＬ（Uniform Resource Locator）とが対応付けられて記憶されるようにしても良い。この場合、図４のステップＳ４では、ＴＶ装置５０は、当該ＴＶ装置５０が変更する対象のＧＵＩのデザインに対応する接続機器用デザイン情報のデザインＩＤではなく、そのＵＲＬを指定する通知をＤＶＤレコーダ６０に送信するようにしても良い。一方、ＤＶＤレコーダ６０は、図５のステップＳ２６で、当該ＵＲＬを指定する通知を受信すると、ハブ７０、ルータ８０及びネットワーク９０を介して、当該ＵＲＬにアクセスして、接続機器用デザイン情報をダウンロードするようにする。
【００３４】
また、上述の実施の形態においては、ＴＶ装置５０で適用されるＧＵＩのデザインに対して接続機器用デザインが必ず存在する場合には、ＴＶ装置５０は、デザイン対応テーブル５８を備えず、ステップＳ１の判断結果が肯定的である場合には、図４のステップＳ２の処理を行わずに、ステップＳ３の処理を行うようにしても良い。
【００３５】
また、上述の実施の形態においては、ＴＶ装置５０が、接続機器が取得すべき接続機器用デザイン情報を指定する通知の方法は、上述のものに限らない。例えば、指定された接続機器用デザイン情報を記憶しているメモリカードがＤＶＤレコーダ６０に接続されている場合、ステップＳ３で、接続機器が取得すべき接続機器用デザイン情報のデザインＩＤを指定することにより通知しているから、ステップＳ４では、ＴＶ装置５０は、当該デザインＩＤを再度通知することなく、当該デザインＩＤの接続機器用デザイン情報の取得の要求をＤＶＤレコーダ６０に送信するようにしても良い。
【００３６】
上述の実施の形態においては、情報処理装置としてＴＶ装置５０におけるＧＵＩのデザインの変更に合わせて、当該情報処理装置に接続される他の情報処理装置としてＤＶＤレコーダ６０におけるＧＵＩのデザインを変更するように構成した。逆に、ＤＶＤレコーダ６０におけるＧＵＩのデザインの変更に合わせて、ＴＶ装置５０におけるＧＵＩのデザインを変更するように構成しても良い。その他、いずれの情報処理装置も、ＰＣ(Personal Computer)やＨＤＤレコーダや携帯電話などの携帯端末などであっても良い。
【００３７】
上述の実施の形態においては、ＴＶ装置５０が有する第１判断部５１と、第２判断部５２と、第３判断部５３と、デザイン取得部５４と、デザイン送信部５５と、通知部５６とのうち全部又は一部は、プロセッサや電子回路などのハードウェアにより構成されるようにしても良い。ＤＶＤレコーダ６０が有する機器ＩＤ送信部６１と、検出部６２と、回答送信部６３と、デザイン受信部６４と、通知受信部６５と、デザイン取得部６６とのうち全部又は一部についても同様である。
【００３８】
上述の実施の形態においては、図４のステップＳ６の後、ＴＶ装置５０は、ＤＶＤレコーダ６０が接続機器用デザイン情報を用いてＧＵＩのデザインの変更を完了したことを示す通知をＤＶＤレコーダ６０から受信するようにしても良い。そして、所定時間内に当該通知を受信できなかった場合には、ＴＶ装置５０は、接続機器用デザイン情報を正常に送信できなかった可能性があるとして、ステップＳ５で取得した接続機器用デザイン情報をＤＶＤレコーダ６０に再送信しても良い。一方、ＤＶＤレコーダ６０は、図５のステップＳ２９の後、接続機器用デザイン情報を用いてＧＵＩのデザインの変更を完了したことを示す通知をＴＶ装置５０に送信するようにする。このような構成によれば、ＧＵＩのデザインの統一をより確実に行なうことができる。
【符号の説明】
【００３９】
５０  ＴＶ装置
５１  第１判断部
５２  第２判断部
５３  第３判断部
５４  デザイン取得部
５５  デザイン送信部
５６  通知部
５７  統一機器テーブル
５８  デザイン対応テーブル
６０  ＤＶＤレコーダ
６１  機器ＩＤ送信部
６２  検出部
６３  回答送信部
６４  デザイン受信部
６５  通知受信部
６６  デザイン取得部
７０  ハブ
８０  ルータ
９０  ネットワーク
１００  コンテンツサーバ
１１０，１２０  メモリカード
【図１】
2011053841.tif 000003
【図２】
2011053841.tif 000004
【図３】
2011053841.tif 000005
【図４】
2011053841.tif 000006
【図５】
2011053841.tif 000007